(57)【要約】【課題】本発明は、ロック操作部単体で作動確認を行った場合でもラチェットが脱出しないようにした、低コストで要求性能を満足できるグローブボックスのロック装置を実現することを目的とする。【解決手段】グローブボックスに取り付けられるロック部と、該ロック部をロッドを介して操作するロック操作部とよりなるグローブボックスのロック装置において、前記ロック操作部１０は、前記グローブボックスに取り付けられるベース１１と、二つのレバー１３ａ，１３ｂを有して前記ベース１１に揺動可能に支持されるラチェット１３と、レバー１２ａを有して前記ラチェット１３のレバー１３ｂを押圧駆動するノブ１２とを具備し、前記ベース１１に設けられた壁１８の組立用切欠き部１８ａの下部と前記ラチェット１３のレバー１３ｂとに、互いに摺動可能な突起１６，１９を設けて成るように構成する。【選択図】　　　図１
2004106695.tif 000002
【特許請求の範囲】
【請求項１】
グローブボックスに取り付けられるロック部と、該ロック部をロッドを介して操作するロック操作部とよりなるグローブボックスのロック装置において、
前記ロック操作部（１０）は、
前記グローブボックスに取り付けられるベース（１１）と、
二つのレバー（１３ａ，１３ｂ）を有して前記ベース（１１）に揺動可能に支持されるラチェット（１３）と、
レバー（１２ａ）を有して前記ラチェット（１３）のレバー（１３ｂ）を押圧駆動するノブ（１２）とを具備し、
前記ベース（１１）に設けられた壁（１８）の組立用切欠き部（１８ａ）の下部と前記ラチェット（１３）のレバー（１３ｂ）とに、互いに摺動可能な突起（１６，１９）を設けたことを特徴とするグローブボックスのロック装置。
【請求項２】
前記ベース（１１）及びラチェット（１３）に設けられた突起（１６，１９）の互いに摺動する面には傾斜が付けられていることを特徴とする請求項１記載のグローブボックスのロック装置。
【発明の詳細な説明】
【０００１】
【発明の属する技術分野】
本発明はグローブボックスのロック装置に関する。詳しくは、車両に設けられるグローブボックスに用いられ、低コストで要求性能を満足できるグローブボックスのロック装置に関する。
【０００２】
【従来の技術】
従来の車両に設けられているグローブボックスのロック装置の１例を図３に示す。このグローブボックスのロック装置は同図に示すようにロック部とノブとの位置が離れているロック装置である。このロック装置は、（ａ）図に示すように、グローブボックス１に取り付けられるロック部２と、該ロック部から離れた位置に設けられて該ロック部をロッド４を介して操作するロック操作部３とよりなり、ロック操作部３は（ｂ）〜（ｄ）図に示すように、ベース５と、ノブ６と、ラチェット７と、ラチェット付勢スプリング８とを具備して構成されている。そして、ラチェット７は２つのレバー７ａ，７ｂがＬ字状をなし、その交点に軸孔が設けられ、ベース５に設けられた軸５ａに回動可能に支持され、ラチェット付勢いスプリング８により図において時計方向に回転付勢されている。なお符号９は組立時にラチェット７の一方のレバ−７ａを挿通するためベース５の壁５ｂに形成された切欠き部である。
【０００３】
また、ノブ６はラチェット７を駆動するためのレバー６ａを有し、ベース５に支点６ｂを中心にして回動可能に支持されている。ロッド４は一端をラチェット７のレバー７ｂ先端の係合部７ｃに係合し、他端をロック部２に係合している。そして、（ｄ）図において、ノブ６を矢印Ａ方向に回動させることにより、ラチェット７のレバー７ａがノブ６のレバー６ａに押されて回動し、（ａ）図のロッド４を引っ張ることによりロック部２が作動し、ロックが解除されるようになっている。
【０００４】
【特許文献１】
特願２００１−３１４５８
【０００５】
【発明が解決しようとする課題】
上記のような従来のグローブボックスのロック装置では、グローブボックスに組み付けた状態では何ら問題はないが、製造時、ロック操作部３を単体で作動確認を行う場合に、ラチェット７を図４の如く最大作動させた場合、該ラチェット７がベース５の壁５ｂのラチェット組み付け用の切欠き部９から脱出するおそれがあるという問題がある。なお、ロック装置をグローブボックスに組み付けた状態では、ラチェット７は、グローブボックスの壁で脱出しないように控えられているため何ら問題はない。
【０００６】
本発明は、上記従来の問題点に鑑み、ロック操作部単体で作動確認を行った場合でもラチェットが脱出しないようにした、低コストで要求性能を満足できるグローブボックスのロック装置を実現することを目的とする。
【０００７】
【課題を解決するための手段】
上記目的を達成するため、本発明の請求項１は、グローブボックスに取り付けられるロック部と、該ロック部をロッドを介して操作するロック操作部とよりなるグローブボックスのロック装置において、前記ロック操作部１０は、前記グローブボックスに取り付けられるベース１１と、二つのレバー１３ａ，１３ｂを有して前記ベース１１に揺動可能に支持されるラチェット１３と、レバー１２ａを有して前記ラチェット１３のレバー１３ｂを押圧駆動するノブ１２とを具備し、前記ベース１１に設けられた壁１８の組立用切欠き部１８ａの下部と前記ラチェット１３のレバー１３ｂとに、互いに摺動可能な突起１６，１９を設けたことを特徴とする。また、請求項２は、前記ベース１１及びラチェット１３に設けられた突起１６，１９の互いに摺動する面には傾斜が付けられていることを特徴とする。
【０００８】
この構成を採ることにより、ロック装置単体で作動確認を行った場合でもラチェットが脱出しないようにした、低コストで要求性能を満足できるグローブボックスのロック装置が得られる。
【０００９】
【発明の実施の形態】
本発明の実施の形態はグローブボックスに取り付けられるロック部と該ロック部をロッドを介して操作するロック操作部とよりなることは、図３で説明した従来例と同様である。従ってロック部とロッドの説明は省略し、ロック操作部についてのみ説明する。
図１は本発明の実施の形態におけるロック操作部を示す図で、（ａ）はベースの背面斜視図、（ｂ）はラチェットの背面斜視図、（ｃ）はベースにノブ及びラチェットが組み付けられた状態の背面図、（ｄ）は（ｃ）図のｄ−ｄ線における断面図である。
【００１０】
本発明の実施の形態におけるロック操作部１０は、はベース１１と、ノブ１２と、ラチェット１３と、ラチェット付勢スプリング１４とを具備して構成されている。そして、ラチェット１３は（ｂ）図の如く、二つのレバー１３ａ，１３ｂがＬ字状をなし、その交点に軸孔１５が穿設されている。また該ラチェット１３の一方のレバー１３ａの先端にはロッドを係合する係合部１３ｃが形成され、他方のレバー１３ｂ（ノブにより押圧されるレバー）にはその側面に、前面が傾斜した突起１６が形成されている。
【００１１】
また、ベース１１は、（ａ）図の如く、略矩形状をなし、ラチェット１３を支持する軸１７が所定の位置に設けられている。また、背面の壁１８には組立時にラチェットのレバー１３ｂを挿通する切欠き部１８ａが形成されている。そして、該ベース１１には（ｄ）図に示すように壁１８の内側で、且つ、切欠き部１８ａの下側に傾斜した突起１９が形成されている。また、ノブ１２は（ｄ）図の如く、ラチェット駆動用のレバー１２ａが形成されており、ベース１１に設けられた支点２０を中心にして回動できるようになっている。
【００１２】
このように形成されたベース１１とノブ１２とラチェット１３は（ｃ）（ｄ）図の如く組み立てられる。即ち、ラチェット１３は、その軸孔１５のボスにラチェット付勢スプリング１４を装着し、その軸孔１５をベース１１に設けられた軸１７に嵌合するのであるが、その際、ラチェット１３のレバー１３ｂは、壁１８の切欠き部１８ａを挿通させるのである。その後ラチェット１３はラチェット付勢スプリング１４により時計方向に付勢されて（ｃ）図に示すように、ベース１１に形成されたストッパ１１ａにレバー１３ａを当接して停止している。
【００１３】
このように構成された本実施の形態の作用を図２により説明する。同図（ａ）（ｂ）の如く、ノブ１２をロック解除のため矢印Ａ方向に回動させると、ラチェット１３は、そのレバー１３ｂをノブ１２のレバー１２ａに押圧されて矢印Ｂ方向に回動する。この時ラチェット１３のレバー１３ｂはベース１１に設けられた壁１８の切欠き部１８ａに覗かせ、該切欠き部１８ａから脱出が可能な状態となる。しかし、（ｂ）図の如く、ベース１１の壁１８とラチェット１３のレバー１３ｂにそれぞれ形成された突起１６、１９の互いの斜面同士が摺動し、ラチェット１３のレバー１３ｂをベース内に押し込むように作用する。これによりラチェット１３の脱出は防止される。
【００１４】
【発明の効果】
本発明に依れば、ノブ１２のレバーとラチェットのレバーにそれぞれ斜面を有する突起を設けたことにより、ロック操作部単体で作動確認を行った場合でもラチェットが脱出しないようにすることができ、別途の脱出防止処置を必要としないため、低コストで要求性能を満足できるグローブボックスのロック装置を実現することができる。
【図面の簡単な説明】
【図１】本発明の実施の形態におけるロック操作部を示す図で、（ａ）はベースの背面斜視図、（ｂ）はラチェットの背面斜視図、（ｃ）はベースにノブ及びラチェットが組み付けられた状態の背面図、（ｄ）は（ｃ）図のｄ−ｄ線における断面図である。
【図２】本発明の実施の形態の作用を説明するための図で、（ａ）は背面図、（ｂ）は（ａ）図のｂ−ｂ線における断面図である。
【図３】従来の車両に設けられているグローブボックスのロック装置の１例を示す図で、（ａ）はグローブボックスと共に示す図、（ｂ）はロック操作部の組立図、（ｃ）は（ｂ）図のｃ−ｃ線における断面図、（ｄ）は（ｂ）図のｄ−ｄ線における断面図である。
【図４】発明が解決しようとする課題を説明するための図である。
【符号の説明】
１０…ロック操作部
１１…ベース
１２…ノブ
１３…ラチェット
１４…ラチェット付勢スプリング
１５…軸孔
１６，１９…突起
１７…軸
１８…壁
２０…支点
【図１】
2004106695.tif 000003
【図２】
2004106695.tif 000004
【図３】
2004106695.tif 000005
【図４】
2004106695.tif 000006